(57)【要約】【課題】音声ＣＯＤＥＣを別途搭載すること無しに、ハンドセット接続、音声録音等の機能を低コストで搭載できるようにする。【解決手段】装置本体側に設けられて、種々の処理がディジタル信号で行われるＳＳＤ１２と、回線１６側に設けられて種々の処理がアナログ信号で行われて回線制御を行う回線制御部１５及びＳＳＤ１２と回線制御部１５と間で信号の伝送が行えるように、これらの間を伝送する信号をアナログ・ディジタル信号に変換するＬＳＤ内蔵ＣＯＤＥＣ１４を備えるＬＳＤ１３とを持つ半導体ＤＡＡにより形成され、このＬＳＤ１３にアナログ信号が取込めるようにアナログＩ／Ｆ２１を設けて、音声ＣＯＤＥＣを別途搭載すること無しに、ハンドセット接続、音声録音等の機能を低コストで搭載可能にする。【選択図】      図１
2004241862.tif 000002
【特許請求の範囲】
【請求項１】
装置本体側に設けられて、種々の処理がディジタル信号で行われるシステム側回路と、回線側に設けられて種々の処理がアナログ信号で行われて回線制御を行う回線制御部及び前記システム側回路と前記回線制御部と間で信号の伝送が行えるように、これらの間を伝送する信号をアナログ・ディジタル信号に変換するアナログ・ディジタル変換部を備える回線側回路とを持つ半導体ＤＡＡにより形成されたファクシミリ装置において、
前記回線側回路にアナログ信号が取込めるようにアナログインターフェースを設けたことを特徴とするファクシミリ装置。
【請求項２】
前記アナログインターフェースにハンドセットからのアナログ信号が入力することを特徴とする請求項１記載のファクシミリ装置。
【請求項３】
前記ハンドセットを用いて通話する際には、当該ハンドセットと前記回線との間の伝送信号が前記アナログインターフェースを介してアナログ信号のままで伝送されることを特徴とする請求項２記載のファクシミリ装置。
【請求項４】
前記ハンドセットからのアナログ信号が、前記アナログ・ディジタル変換部でアナログ・ディジタル変換されて前記システム側回路からシステム側の音声データメモリに伝送されることを特徴とする請求項２又は３記載のファクシミリ装置。
【請求項５】
前記音声データメモリに格納されたデータを再生して、留守番メッセージとして出力することを特徴とする請求項４記載のファクシミリ装置。
【請求項６】
前記音声データメモリに格納されたデータを再生して、ファクシミリ情報サービスの応答メッセージとして出力することを特徴とする請求項４又は５記載のファクシミリ装置。
【発明の詳細な説明】
【０００１】
【発明の属する技術分野】
本発明は、半導体ＤＡＡを用いたファクシミリ装置に関する。
【０００２】
【従来の技術】
従来、ファクシミリ装置においては、回線とファクシミリ装置本体とのインターフェース（ＩＦ）をとるために、回線ＩＦ部が設けられているが、かかる回線ＩＦ部ではモデムと回線とのインピーダンス整合及び回線側の回路とモデム側の回路との間の絶縁を目的として６００Ωで終端されたトランスが用いられ、またＣＮＧ信号／ＦＣ信号／ＤＴＭＦ信号の各トーン信号における回線側の回路とモデム側の回路との間の伝送及び絶縁にハイインピーダンスで終端されたトランスの二つのトランスが使用されている。
【０００３】
ところが最近では、回線ＩＦ部のアナログ回路を半導体化してトランスを使用しないシリコン等の半導体を用いた形成された半導体ＤＡＡ（ＤＡＡ：ＤａｔａＡｃｃｅｓｓ  Ａｒｒａｎｇｅｍｅｎｔ）の適用が検討されて回路の簡略化／小型化、コストダウンが図られている。
【０００４】
このような半導体ＤＡＡは、回線側回路（ラインサイドデバイス：ＬＳＤ）、システム側回路（システムサイドデバイス：ＳＳＤ）を備え、これらの回路が直流的に絶縁された状態で信号伝達が行えるように結合回路を介して接続された構成となっている。
【０００５】
そして、当該半導体ＤＡＡを用いたファクシミリ装置が提案されると共に、このファクシミリ装置に外付け電話が接続できるようにしたものが提案されている（特許文献１参照）。
【０００６】
図２は、このような半導体ＤＡＡを用いたファクシミリ装置にハンドセットやマイク等のアナログ信号装置１０９を搭載した際の構成例を表すブロック図である。
【０００７】
このファクシミリ装置は、送信データの生成と受信データの復元を行うモデムＤＳＰ１０１、ＬＳＤ１０３の制御を行うと共にモデムＤＳＰ１０１とＬＳＤ１０３の間でデジタルデータのやり取りを行うＳＳＤ１０２、ＳＳＤ１０２とのデジタルデータのやり取りを行うＬＳＤ１０３、ＬＳＤ１０３とＳＳＤ１０２とが直流的に絶縁された状態で信号伝達が行えるようにする結合回路１１０を主要構成として設けられている。
【０００８】
このＬＳＤ１０３は、通信信号のＡ／Ｄ、Ｄ／Ａ変換を行うＬＳＤ内蔵ＣＯＤＥＣ１０４、回線の制御を行う回線制御部１０５により構成され、この回線制御部１０５にＰＳＴＮ回線１０６が接続されている。
【０００９】
また、モデムＤＳＰ１０１には、ハンドセットやマイク等のアナログ信号装置１０９からの音声アナログ信号をＡ／Ｄ、Ｄ／Ａ変換する音声ＣＯＤＥＣ１０８、音声応答用の音声データ等を記憶しておくメモリ１０７が接続されている。
【００１０】
なお、図２においては、太線矢印はアナログ信号を示し、白抜矢印はデジタル信号を示している。
【００１１】
このような構成で、ハンドセットを搭載する場合は、音声ＣＯＤＥＣ１０８にてハンドセットのアナログ信号をデジタル信号に変換し、ＳＳＤ１０２、ＬＳＤ１０３を介してＰＳＴＮ回線１０６と接続することによりハンドセットでの通話が可能になる。
【００１２】
また、マイク等にて音声応答用の音声データを録音する場合は、音声ＣＯＤＥＣ１０８にてマイク等のアナログ信号をデジタル信号に変換し、メモリ１０７に記憶を行う。
【００１３】
【特許文献１】
特開２００２−１７１３６０号公報
【００１４】
【発明が解決しようとする課題】
しかしながら、上述したように、半導体ＤＡＡには音声アナログ信号Ｉ／Ｆが設けられていないため、ファクシミリ装置がハンドセットやマイク等のアナログ信号装置１０９を搭載する場合には、音声アナログ信号とディジタル信号との変換を行う音声ＣＯＤＥＣ１０８等を別途設ける必要があった。
【００１５】
また、音声メッセージ録音用のマイク等を搭載する場合、マイク等から入力された音声アナログ信号を音声メモリ等に記憶するには、別途音声ＣＯＤＥＣ１０８等を搭載して、マイク等から入力されたアナログ信号をいったんデジタル信号に変換してから音声メモリ等への記憶を行う必要があった。
【００１６】
このように音声ＣＯＤＥＣ１０８を別途搭載すると、その分コストがかかってしまい、装置が高価になる問題があった。
【００１７】
そこで、本発明は、音声ＣＯＤＥＣを別途搭載すること無しに、ハンドセット接続、音声録音等の機能を低コストで搭載したファクシミリ装置を提供することを目的とする。
【００１８】
【課題を解決するための手段】
上記課題を解決するため、請求項１にかかる発明は、装置本体側に設けられて、種々の処理がディジタル信号で行われるシステム側回路と、回線側に設けられて種々の処理がアナログ信号で行われて回線制御を行う回線制御部及びシステム側回路と回線制御部と間で信号の伝送が行えるように、これらの間を伝送する信号をアナログ・ディジタル信号に変換するアナログ・ディジタル変換部を備える回線側回路とを持つ半導体ＤＡＡにより形成されたファクシミリ装置において、回線側回路にアナログ信号が取込めるようにアナログインターフェースを設けて、音声ＣＯＤＥＣを別途搭載すること無しに、ハンドセット接続、音声録音等の機能を低コストで搭載可能にしたことを特徴とする。
【００１９】
請求項２にかかる発明は、アナログインターフェースにハンドセットからのアナログ信号が入力することを特徴とする。
【００２０】
請求項３にかかる発明は、ハンドセットを用いて通話する際には、当該ハンドセットと回線との間の伝送信号がアナログインターフェースを介してアナログ信号のままで伝送されることを特徴とする。
【００２１】
請求項４にかかる発明は、ハンドセットからのアナログ信号が、アナログ・ディジタル変換部でアナログ・ディジタル変換されてシステム側回路からシステム側の音声データメモリに伝送されることを特徴とする。
【００２２】
請求項５にかかる発明は、音声データメモリに格納されたデータを再生して、留守番メッセージとして出力することを特徴とする。
【００２３】
請求項６にかかる発明は、音声データメモリに格納されたデータを再生して、ファクシミリ情報サービスの応答メッセージとして出力することを特徴とする。
【００２４】
【発明の実施の形態】
本発明の実施の形態を図を参照して説明する。図１は、本発明にかかるファクシミリ装置の概略構成を示すブロック図である。
【００２５】
当該ファクシミリ装置は、送信データの生成と受信データの復元を行うモデムＤＳＰ１１、ＬＳＤ１３の制御を行うと共にモデムＤＳＰ１１とＬＳＤ１３の間でデジタルデータのやり取りを行うＳＳＤ１２、該ＳＳＤ１２とのデジタルデータのやり取りを行うＬＳＤ１３、ＬＳＤ１３とＳＳＤ１２とが直流的に絶縁された状態で信号伝達が行えるようにする結合回路２０を主要構成として設けられている。
【００２６】
ＬＳＤ１３は、通信信号のＡ／Ｄ、Ｄ／Ａ変換を行うアナログ・ディジタル変換部であるＬＳＤ内蔵ＣＯＤＥＣ１４、回線の制御を行う回線制御部１５、アナログ信号が入力できるようにするアナログインターフェース（アナログＩ／Ｆ）２１等により構成されて、当該回線制御部１５にＰＳＴＮ回線１６が接続されている。
【００２７】
また、モデムＤＳＰ１１には、音声応答用の音声データ等を記憶しておくメモリ１７が接続されている。
【００２８】
さらに、ハンドセットやマイク等のアナログ信号装置１９が、ＬＳＤ１３におけるＬＳＤ内蔵ＣＯＤＥＣ１４及び回線制御部１５に接続されて設けられている。
【００２９】
なお、図１において、太線の矢印はアナログ信号を示し、白抜矢印はデジタル信号を示している。
【００３０】
このような構成で、アナログ信号装置１９が外付け電話のハンドセットの場合、このハンドセットにより通話を行うときは、アナログ信号装置１９からのアナログ信号がアナログＩ／Ｆ２１を介してＬＳＤ１３に入力する。
【００３１】
そして、ＬＳＤ１３の回線制御部１５を介してアナログ信号のままＰＳＴＮ回線１６に伝送される。
【００３２】
また、アナログ信号装置１９がマイク等の場合に、音声応答用音声データを録音するときは、アナログ信号装置１９からのアナログ信号がアナログＩ／Ｆ２１を介してＬＳＤ１３に入力し、ＬＳＤ内蔵ＣＯＤＥＣ１４でデジタル信号に変換されてＳＳＤ１２を介してメモリ１７に記憶される。
【００３３】
このメモリ１７に記憶された情報は、留守番電話の応答メッセージやファクシミリ情報サービスの応答メッセージとして出力されて利用できるようになっている。
【００３４】
これにより、従来用いられていたＬＳＤ１３に内蔵されているＬＳＤ内蔵ＣＯＤＥＣ１４により、アナログ信号装置１９からのアナログ信号をデジタル信号に変換することが可能になると共に、当該アナログ信号をそのままの形で通話できるようになるので、別途音声アナログ信号をデジタル信号に変換等するＣＯＤＥＣが不要になり、コストアップを抑制することが可能になる。
【００３５】
【発明の効果】
以上説明したように、本発明によれば、アナログ信号Ｉ／Ｆを搭載したのでハンドセット等によるアナログ信号を半導体ＤＡＡで扱えるようになり、音声ＣＯＤＥＣを搭載する必要がなくなって安価になる。
【図面の簡単な説明】
【図１】本発明の実施の形態の説明に適用される半導体ＤＡＡを用いたファクシミリ装置のブロック図である。
【図２】従来の技術の説明に適用される半導体ＤＡＡを用いたファクシミリ装置のブロック図である。
【符号の説明】
１１  モデムＤＳＰ
１２  ＳＳＤ（システムサイドデバイス）
１３  ＬＳＤ（ラインサイドデバイス）
１４  ＬＳＤ内蔵ＣＯＤＥＣ
１５  回線制御部
１６  回線
１７  メモリ
１９  アナログ信号装置
２０  結合回路
２１  アナログＩ／Ｆ
【図１】
2004241862.tif 000003
【図２】
2004241862.tif 000004